(57)【要約】【課題】  小さな子供のためのよだれ掛けを提供する。【解決手段】  よだれ掛けであって、特に、よだれ掛けのポケットに位置する突出コネクタを係合及び固定するために係止区画を含むよだれ掛けであって、格納能力のため及び汚れがこぼれることを防ぐためによだれ掛けを折り畳まれた位置において固定する手段を備えたよだれ掛け。【選択図】図１
2020079473.tif 000002
【特許請求の範囲】
【請求項１】
コンバーチブルのよだれ掛けであって、
ａ）パネルと、
ｂ）格納ポケットであって、前記格納ポケットが少なくとも１つの係止区画と少なくとも１つの突出タブとを含み、前記少なくとも１つの係止区画が、少なくとも１つの開口と少なくとも１つのソケットとをさらに含む、格納ポケットと
を含む、コンバーチブルのよだれ掛け。
【請求項２】
前記少なくとも１つの係止区画が、前記よだれ掛けが折り畳まれたときに係止機構を形成するために、少なくとも１つの突出タブをさらに固定する、請求項１に記載のコンバーチブルのよだれ掛け。
【請求項３】
前記少なくとも１つの係止区画が中空である、請求項１に記載のコンバーチブルのよだれ掛け。
【請求項４】
前記少なくとも１つの係止区画には弾性がある、請求項１に記載のコンバーチブルのよだれ掛け。
【請求項５】
前記少なくとも１つの突出タブが少なくとも１つのハンドルをさらに含む、請求項１に記載のコンバーチブルのよだれ掛け。
【請求項６】
前記格納ポケットが少なくとも１つのハンドルをさらに含む、請求項１に記載のコンバーチブルのよだれ掛け。
【請求項７】
コンバーチブルのよだれ掛けであって、
格納ポケットであって、前記本体が少なくとも１つの係止区画と少なくとも１つの突出タブとを含む格納ポケット
を含む、コンバーチブルのよだれ掛け。
【請求項８】
前記少なくとも１つの係止区画が、前記よだれ掛けが折り畳まれたときに係止機構を形成するために、前記少なくとも１つの突出タブをさらに固定する、請求項７に記載のコンバーチブルのよだれ掛け。
【請求項９】
前記少なくとも１つの係止区画が少なくとも１つの開口をさらに含む、請求項７に記載のコンバーチブルのよだれ掛け。
【請求項１０】
前記少なくとも１つの係止区画が少なくとも１つのソケットをさらに含む、請求項７に記載のコンバーチブルのよだれ掛け。
【請求項１１】
前記少なくとも１つの係止区画が少なくとも１つの係止デバイスをさらに含む、請求項７に記載のコンバーチブルのよだれ掛け。
【請求項１２】
前記少なくとも１つの突出タブが少なくとも１つのハンドルをさらに含む、請求項７に記載のコンバーチブルのよだれ掛け。
【請求項１３】
前記格納ポケットが少なくとも１つのハンドルをさらに含む、請求項７に記載のコンバーチブルのよだれ掛け。
【請求項１４】
コンバーチブルのよだれ掛けであって、
少なくとも１つの係止区画を含む本体
を含む、コンバーチブルのよだれ掛け。
【請求項１５】
前記少なくとも１つの係止区画が、前記よだれ掛けが折り畳まれたときに係止機構を形成するために、前記少なくとも１つの突出タブをさらに固定する、請求項１４に記載のコンバーチブルのよだれ掛け。
【請求項１６】
前記少なくとも１つの係止区画が少なくとも１つの開口をさらに含む、請求項１４に記載のコンバーチブルのよだれ掛け。
【請求項１７】
前記少なくとも１つの係止区画が少なくとも１つのソケットをさらに含む、請求項１４に記載のコンバーチブルのよだれ掛け。
【請求項１８】
前記少なくとも１つの係止区画が、少なくとも１つの突出タブをさらに含む、請求項１４に記載のコンバーチブルのよだれ掛け。
【請求項１９】
前記少なくとも１つの係止区画が、少なくとも１つの係止デバイスをさらに含む、請求項１４に記載のコンバーチブルのよだれ掛け。
【請求項２０】
前記本体が少なくとも１つのソケットをさらに含む、請求項１４に記載のコンバーチブルのよだれ掛け。
【請求項２１】
前記少なくとも１つの突出タブが少なくとも１つのハンドルをさらに含む、請求項１５に記載のコンバーチブルのよだれ掛け。
【請求項２２】
前記本体が格納ポケットを含む、請求項１４に記載のコンバーチブルのよだれ掛け。
【請求項２３】
前記格納ポケットが少なくとも１つのハンドルをさらに含む、請求項２２に記載のコンバーチブルのよだれ掛け。
【発明の詳細な説明】
【技術分野】
【０００１】
関連出願の相互参照
この出願は、２０１８年１１月１１日に出願された米国仮特許出願第６２７５８６６９号明細書への優先権を主張する。
【０００２】
本発明は、赤ちゃんのための折り畳み可能なよだれ掛けであって、折り畳まれたときにしっかりと固定するための係止区画が付属しているよだれ掛けに関する。
【背景技術】
【０００３】
親が外出先で自分達の赤ちゃんに食べ物を与える可能性に備えるときによだれ掛けを持っていくことは一般的なことである。格納が不適切であると、汚染、清潔さ、及びオムツバッグにおける空間の過剰な消費を招き得るため、格納の方法が重要である。本発明は、折り畳み可能なよだれ掛けであって、よだれ掛けが、空間を最少化するために、折り畳まれ得るとともに折り畳まれた位置に固定され得る一方で、内容物がこぼれないように保護するよだれ掛けに焦点を当てる。小さな子供に過剰な重量をかけることを避けるために、赤ちゃんのよだれ掛けは、概して軽量となるように設計されている。プラスチック又はシリコンなどの半剛性材料を含む赤ちゃんのよだれ掛けについて、よだれ掛けは従来の布材料よりも概して重くなる。したがって、赤ちゃんに重いよだれ掛けを負わせることを避けるために、よだれ掛けの厚さは最小化される。米国意匠特許第Ｄ６９８１３０号明細書は、折り畳まれると、折り畳まれた位置を固定するために、コネクタがポケットの穴のエッジにスナップ留めされる赤ちゃんのよだれ掛けを開示している。構造全体における厚さの制限は、穴のエッジの耐久性及び信頼性を減少させる。時間が経つと、引っ張る又はひねるという反復的な動きが穴に摩耗及び引裂きを引き起こす。加えて、よだれ掛けの穴はよだれ掛けのポケットに沿って位置する。これは、不要に食べ物又は流体がこぼれることを引き起こす場合があり、これもまた小さな子供を不快にさせる。使い易く製造し易い強い係止システムを提供すると同時によだれ掛けの製品寿命を延ばし得る、乳幼児のよだれ掛けのための信頼性のある係止機構を提供することを可能にすることが望ましいだろう。加えて、これは小さな子供にとっての不快感及び不要な食べこぼしを軽減する。
【先行技術文献】
【特許文献】
【０００４】
【特許文献１】米国意匠特許第Ｄ６９８１３０号明細書
【発明の概要】
【課題を解決するための手段】
【０００５】
本発明は概して、特に、よだれ掛けのポケットに位置する突出コネクタを係合及び固定するために係止区画を含むよだれ掛けであって、格納能力のため及び汚れがこぼれることを防ぐためによだれ掛けを折り畳まれた位置において固定する手段を備えたよだれ掛けの係止機構に関する。これは、突出コネクタを固定する際にきつく包み込むことを行うために傑出した係止区画を設計することにより達成される。係止区画の厚さは、よだれ掛けとは無関係であるとともに、よだれ掛けの構造全体に影響を及ぼすこと無しに、様々なレベルの厚さで設計され得る。本発明はまた、肌への刺激を防ぐために、赤ちゃんと本体との接触部から離れた位置にある突出したコネクタに焦点を当てる。係止機構は、ポケットの表面の穴を無くし、したがって、開かれた位置においても折り畳まれた位置においても食べ物がこぼれることを防ぐ。
【図面の簡単な説明】
【０００６】
【図１】係止区画の位置を示す本発明によるよだれ掛けの正面図である。
【図２】係止区画の位置を示す本発明によるよだれ掛けの斜視図である。
【図３】係止区画の開口を示すよだれ掛けの背面図である。
【図４】係止区画を示すよだれ掛けの側面図である。
【図５】係止区画、ソケット、開口及び突出タブを示す本発明の垂直断面の側面図である。
【図６】係止区画及び突出タブの整列を示す本発明の上面図である。
【図７】折り畳まれた位置にあるよだれ掛けの垂直断面の側面図である。
【図８】折り畳まれた位置にあるよだれ掛けの上面図である。
【図９】折り畳まれた位置にあるよだれ掛けの斜視図である。
【図１０】格納ポケットのエッジにあるハンドルを示す、折り曲げられていない位置にあるよだれ掛けの斜視図である。
【発明を実施するための形態】
【０００７】
コンバーチブルのよだれ掛け１は、折り畳み可能であり、潰され得るとともに、格納ポケット４０に格納され得る。格納ポケット４０には、屋外活動中の使用のためのスプーンなど、様々な品目が格納され得る。図１は、パネル１０と格納ポケット４０とを有するコンバーチブルのよだれ掛け１を示す。コンバーチブルのよだれ掛け１は、乳幼児の首の周りで延在するとともに固定する襟付属物１５、１６を有するパネル１０を含む。前記襟付属物を互いに締結する方法は図２に示されている。付属物を締結する方法には、典型的には、様々なベルクロ（登録商標）、ボタン、フックアンドループ、又は、乳幼児の首の周りによだれ掛けを固定することができる限り他の任意の締結具が含まれる。図１はまた、よだれ掛けを折り畳まれた位置において固定するための係止機構の重要な構成要素である係止区画２０の一般的な位置を示す。係止機構に対する本方法のさらなる説明は後段のパラグラフで検討される。
【０００８】
図３は、係止区画２０に対する開口３０を明らかにするよだれ掛けの背面図である。開口３０は、格納ポケット４０に位置する突出タブ２５に適合するように様々なサイズ及び形状へ伸縮可能である孔又はスリットからなる。
【０００９】
図４は、よだれ掛け１の本体に位置付けられた係止区画２０を示す側面図である。係止区画は、伸ばされ、圧縮され、復元されることが可能な半剛性材料でできており、それにより、その形状の変形を可能にし、したがって、突出タブ２５及び係止区画２０の噛合いを達成する。
【００１０】
図５は、図１に示された線Ａでの断面図である。係止区画２０は、よだれ掛け１の前側本体に位置付けられる。係止区画２０の内部構造は、ソケット３１と開口３０とからなる。ソケット３１は、よだれ掛けが折り畳まれた位置にあるときに前記突出タブ２５の固定具２６を係合及びしっかりと固定するための手段を備えた中空構造である。前記突出タブ２５は概して格納ポケット４０において位置し、それぞれ係止区画２０の同じ垂直軸上で整列する（図６を参照）。ソケット３１の形状及びサイズは係止区画のために使用される材料の伸縮性により決められ、主目的は突出タブ２５の固定具２６をしっかりと固定することであることに留意されたい。
【００１１】
図７は、折り畳まれた位置にあるよだれ掛け１を表す側面図の断面である。格納動作中、ユーザは、よだれ掛けを折り畳んで格納ポケット４０へ入れ、それによりよだれ掛けのパネル１０は、開口３０が突出タブ２５と整列するような方法で、折り畳まれて格納ポケット４０に入れられる。ユーザは突出タブ２５を開口３０を介して係止区画２０へ挿入する。突出タブ２５がソケット３１に到達すると、ソケット３１の伸縮性及び弾性が突出タブ２５の固定具２６を係合するとともに固定する。代替的に、ユーザは、突出タブ２５の挿入を容易にするために内部構造（ソケット３１及び開口３０）を拡張させるために、係止区画２０を挟む及び屈曲させるなどの圧力をかけることができる。圧力を解放することにより、内部構造はその初期状態へ弾性的に戻り、それは今度は突出タブ２５の固定具２６を把持及び固定する。ユーザは、係止区画２０に再び圧力をかけ、このことが今度は、内部構造を伸縮させ、固定具２６をさらに解放し、突出タブ２５が係止区画２０から引き出されることを可能にすることにより突出タブ２５を引き離す。突出タブ２５及びその固定具２６はまた、圧力下でそれらの形状を変形させるように設計され得る。ユーザは前記突出タブ２５に圧力をかけて、ソケット３１から係合解除しそれを開口３０を通じて区画２０から解放してもよい。
【００１２】
代替的に、同様の相互係止機構を達成するために代替ソケットが格納ポケット４０に配置された状態で、突出タブは係止区画２０内に配置され得る。
【００１３】
代替的に、突出タブ及び係止区画の位置は交換され得、同様の相互係止機構を達成するために、係止区画は格納ポケット４０に置かれ、突出タブはよだれ掛けの本体に位置する。
【００１４】
図８及び図９は、完全に折り畳まれた位置にあるよだれ掛けの上面図及び斜視図である。折り畳まれたよだれ掛けは、概して「バスタブ」の形状であるが、よだれ掛けは様々な形状になるように製造され得ることに留意されたい。よだれ掛け全体が１つの部片としても複数の構成要素としても製造され得ることに留意されたい。係止区画２０、突出タブ２５、ソケット３１、開口３０及び他の後続の構成要素は、前記係止効果を達成する限り様々なサイズ、形状及び材料で製造され得る。係止区画２０はまた、突出タブ２５とより良好な又は最適な係止効果を達成するために異なるレジリエント材料により包み込まれるように作られ得る。突出タブ２９は、ハンドル８９を形成するようにさらに延在し得る。前記ハンドル８９は概して、突出タブ２９を係止区画の開口３０に出し入れするのを支援する手段とともに、突出タブ２９の近傍に位置する。ハンドル８９は、突出タブ２９の一部又は別個の存在であり得る。ハンドル８９は様々なサイズ、形状及び材料で製造され得る。
【００１５】
好ましい実施形態の代替形態として、係止区画２０は、係止デバイス（図示せず）をさらに包み込むとともに固定するために中空に作られ得る。係止デバイスは突出タブと相互作用し、両方とも、限定するものではないが、バックル、ボタン、ファスナー、コネクタの形とすることができ、係止区画２０と同様の材料からなってもならなくてもよい。
【００１６】
突出タブ及び係止区画はよだれ掛けのどこにでも配置されることができ、いずれの位置にも１つ又は２つ以上の係止区画又は突出タブがあり得、互いに整列してもしなくてもよいことに留意されたい。これは、よだれ掛けが、ユーザが望む格納空間の大きさを収容するために、様々なサイズ及び形状に折り畳まれることを可能にする。
【符号の説明】
【００１７】
１  コンバーチブルのよだれ掛け
１０  パネル
１５  襟付属物
１６  襟付属物
２０  係止区画
２５  突出タブ
２６  固定具
２９  突出タブ
３０  開口
３１  ソケット
４０  格納ポケット
８９  ハンドル
【図１】
2020079473.tif 000003
【図２】
2020079473.tif 000004
【図３】
2020079473.tif 000005
【図４】
2020079473.tif 000006
【図５】
2020079473.tif 000007
【図６】
2020079473.tif 000008
【図７】
2020079473.tif 000009
【図８】
2020079473.tif 000010
【図９】
2020079473.tif 000011
【図１０】
2020079473.tif 000012
【外国語明細書】
2020079473000001.pdf